(57)【特許請求の範囲】
【請求項１】
電力及び熱を発生する熱電併給装置の運転に関する複数の種類から構成されるデータを画面に期間情報と共に表示する表示装置であって、
ユーザーが前記画面に接触した際に接触した接触位置を検知する接触位置検知器と、
前記接触位置検知器で検知された位置情報に応じてデータ構造体であるタグを生成するタグ生成器と、
前記タグ生成器で生成されたタグが前記画面に表示される位置を決定するタグ位置決定器と、
前記タグ生成器で生成された前記タグを前記タグ位置決定器で決定された表示位置に表示する表示器と、
を備え、
前記期間情報は、前記データの種類に共通している期間であるものとし、
前記タグ生成器は、前記画面の表示領域が複数に分割された各領域に対して、前記データの種類及び前記期間情報がそれぞれ対応付けられた対応関係に基づいて、表示されるデータの種類及び前記期間情報を決定し、前記データの種類及び前記期間情報を含む前記タグを生成する、
表示装置。
【請求項２】
前記データの種類は、発電量、排熱回収量、ＣＯ２削減量及びガス消費量のうちの少なくとも２つ以上を含む、請求項１に記載の表示装置。
【請求項３】
前記対応関係は、前記画面上の第１の方向に沿って、前記画面に表示される前記データの種類が変更されるよう前記位置情報と前記データが対応付けされた第１の対応関係と、前記画面上の第２の方向に沿って前記データの期間情報が変更されるよう前記位置情報と前記データの期間情報が対応付けされた第２の対応関係とを含む請求項１記載の表示装置。
【請求項４】
前記対応関係は、前記画面上の所定の位置を基準点とした周方向に沿って、前記画面に表示される前記データの種類が変更されるよう前記位置情報と前記データとが対応付けされた第１の対応関係と、前記画面上の所定の位置を基準点とした径方向に沿って前記データの期間情報が変更されるよう前記位置情報と前記データの期間情報が対応付けされた第２
の対応関係とを含む請求項１記載の表示装置。
【請求項５】
前記対応関係は、前記画面上の所定の位置を基準点とした横方向に沿って、前記画面に表示される前記データの種類が変更されるよう前記位置情報と前記データとが対応付けされた第１の対応関係と、前記画面上の所定の位置を基準点とした縦方向に沿って前記データの期間情報が変更されるよう前記位置情報と前記データの期間情報が対応付けされた第２の対応関係とを含む請求項１記載の表示装置。
【請求項６】
前記対応関係は、前記画面上の所定の位置を基準点とした周方向に沿って、前記画面に表示される前記データの種類が変更されるよう前記位置情報と前記データとが対応付けされた第１の対応関係と、前記基準点と前記接触位置または前記表示位置との距離と前記画面に表示される前記データの期間情報とが対応付けされた第２の対応関係とを含む請求項１記載の表示装置。
【請求項７】
前記対応関係は、前記画面上の所定の位置を基準点とした横方向に沿って、前記画面に表示される前記データの種類が変更されるよう前記位置情報と前記データとが対応付けされた第１の対応関係と、前記基準点と前記接触位置または前記表示位置との縦方向における距離と前記画面に表示される前記データの期間情報とが対応付けされた第２の対応関係とを含む請求項１記載の表示装置。
【請求項８】
前記タグ位置決定器は、使用者が前記画面に接触していない状態において、
時間の経過に伴い前記タグの表示位置を異なる表示位置に更新するよう構成されていることを特徴とする請求項１記載の表示装置。
【請求項９】
請求項１〜８のいずれかに記載の表示装置と、熱電併給機とを備える熱電併給装置。
【請求項１０】
電力及び熱を発生する熱電併給装置の運転に関する複数の種類から構成されるデータを画面に期間情報と共に表示する表示方法であって、
ユーザーが前記画面に接触した際に接触した接触位置を検知する接触位置検知工程と、
前記接触位置検知器で検知された位置情報に応じてデータ構造体であるタグを生成するタグ生成工程と、
前記タグ生成器で生成されたタグが前記画面に表示される位置を決定するタグ位置決定工程と、
前記タグ生成器で生成された前記タグを前記タグ位置決定器で決定された表示位置に表示する表示工程と、
を備え、
前記期間情報は、前記データの種類に共通している期間であるものとし、
前記タグ生成工程は、前記画面の表示領域が複数に分割された各領域に対して、前記データの種類及び前記期間情報がそれぞれ対応付けられた対応関係に基づいて、表示されるデータの種類及び前記期間情報を決定し、前記データの種類及び前記期間情報を含む前記タグを生成する工程である、
表示方法。
【発明の詳細な説明】
【技術分野】
【０００１】
本発明は電力及び熱を発生する熱電併給装置の運転に関して複数のデータを表示する表示方法、表示装置、及びこれを備える熱電併給装置に関する。
【背景技術】
【０００２】
従来の熱電併給装置としては、熱電併給装置で発生した電力量と熱量を演算して、これに伴う炭酸ガス排出量の削減効果を表示するものがあった(例えば、特許文献１参照）。
【０００３】
図１１は、上記特許文献１に記載された従来の熱電併給装置の概略構成を示す図である。図１１に示されるように、熱電併給機としての燃料電池１００４で生成された電力は商用電力１００１と連系して、電力負荷１０１０へ供給される。この時、燃料電池１００４へ入力されるガス量と燃料電池１００４が生成した電力量は夫々ガス流量計１００３と電力計１００５で計測する。また、電力負荷１０１０へ供給される電力量は電力計１００２で計測する。
【０００４】
また、燃料電池１００４で発生した熱は貯湯槽１００６でお湯として蓄積され、そこから熱負荷１０１１へ供給される。ここで、貯湯槽１００６へ入る市水の温度、そこから出るお湯の温度、流量が夫々入水温度計１００７、出水温度計１００８、流量計１００９で計測される。
【０００５】
操作パネル１０１２は積算装置１０１３と演算装置１０１４と表示装置１０１６と入力装置１０１５で構成される。演算装置１０１４はガス流量計１００３、電力計１００５、電力計１００２、入水温度計１００７、出水温度計１００８、流量計１００９で計測した計測値を入力として、電力量、熱量、エネルギー量、全電力量、全熱量、排出ガス量、料金、料金差、排出ガス量、排出ガス量の差及び一次エネルギー量等を計算する。また、積算装置１０１３はそれらの所定期間(例えば、１日、１週間、１ヶ月など）の積算量を計算する。なお、ユーザーは入力装置１０１５によってキー入力することによって、演算装置１０１４と積算装置１０１３の出力から表示したいデータを選択して、表示装置１０１６に表示する。
【０００６】
図１２は、操作パネル１０１２の一例を示す正面図である。ユーザーが選択したボタンを押下すると、そのボタンに対応するデータがパネル上部の表示装置１０１６に表示される。
【先行技術文献】
【特許文献】
【０００７】
【特許文献１】特開２００３−２５０２２４号公報
【発明の概要】
【発明が解決しようとする課題】
【０００８】
しかしながら、上記特許文献１記載の従来の熱電併給装置の表示装置では、ユーザーの所望するデータを表示装置１０１６に表示させる際に、表示装置１０１６とは異なる領域に設けられた入力装置１０１５上に設けられた所望のデータを表示するためのキーを押下することで表示装置１０１６にデータが表示されるが、入力装置１０１５と表示装置１０１６との間で視線の移動を強いることになり、操作性が悪い。また、上記従来の熱電併給装置の表示装置では、上述のように入力装置１０１５を操作しなければ、表示装置１０１６に所望のデータが表示されない。即ち、まず、ユーザーが熱電併給装置の運転状況を見たいと意識して、次に能動的に入力装置に対してアクションをしなければ、ユーザーは発電量、ＣＯ２削減量などの熱電併給装置の運転に関する情報を得ることができない。
【０００９】
したがって、ユーザーが熱電併給装置への関心が薄れてきた場合には、「入力装置の操作をしない→情報がまったく表示されない→ますます関心が薄くなる」といった負のスパイラルに陥りやすい。
【００１０】
本発明は、上記従来の課題を解決するもので、上記従来の熱電併給装置の表示装置よりも操作性が向上された表示装置を提供することを第１の目的とする。
【００１１】
また、本発明は、上記従来の熱電併給装置の表示装置よりも、ユーザーの熱電併給装置への関心の低下が抑制される表示装置を提供することを第２の目的とする。
【課題を解決するための手段】
【００１２】
上記従来の課題を解決するために、本発明の表示装置は、電力及び熱を発生する熱電併給装置の運転に関する複数の種類から構成されるデータを画面に期間情報と共に表示する表示装置であって、ユーザーが前記画面に接触した際に接触した接触位置を検知する接触位置検知器と、前記接触位置検知器で検知された位置情報に応じてデータ構造体であるタグを生成するタグ生成器と、前記タグ生成器で生成されたタグが前記画面に表示される位置を決定するタグ位置決定器と、前記タグ生成器で生成された前記タグを前記タグ位置決定器で決定された表示位置に表示する表示器と、を備え、前記期間情報は、前記データの種類に共通している期間であるものとし、前記タグ生成器は、前記画面の表示領域が複数に分割された各領域に対して、前記データの種類及び前記期間情報がそれぞれ対応付けられた対応関係に基づいて、表示されるデータの種類及び前記期間情報を決定し、前記データの種類及び前記期間情報を含む前記タグを生成する、ことを特徴とする。また、本発明は、電力及び熱を発生する熱電併給装置の運転に関する複数の種類から構成されるデータを画面に期間情報と共に表示する表示方法であって、ユーザーが前記画面に接触した際に接触した接触位置を検知する接触位置検知工程と、前記接触位置検知器で検知された位置情報に応じてデータ構造体であるタグを生成するタグ生成工程と、前記タグ生成器で生成されたタグが前記画面に表示される位置を決定するタグ位置決定工程と、前記タグ生成器で生成された前記タグを前記タグ位置決定器で決定された表示位置に表示する表示工程と、を備え、前記期間情報は、前記データの種類に共通している期間であるものとし、前記タグ生成工程は、前記画面の表示領域が複数に分割された各領域に対して、前記データの種類及び前記期間情報がそれぞれ対応付けられた対応関係に基づいて、表示されるデータの種類及び前記期間情報を決定し、前記データの種類及び前記期間情報を含む前記タグを生成する工程である、表示方法としても良い。
【００１３】
これにより、熱電併給装置の運転に関するデータが表示される画面上を接触することで所望のデータが表示されるため、所望のデータを表示させる際に、ユーザーの視線の移動量が低減され、操作性が従来よりも向上する。また、ユーザーによる接触操作がなくても自動的に画面に熱電併給装置の運転に関するデータが表示されるので、ユーザー熱電併給装置への関心の低下を抑制することができる。
【００１４】
また、本発明の熱電併給装置は、上記本発明の表示装置と、熱電併給機とを備えることを特徴とする。
【００１５】
これにより、本発明の熱電併給装置は、上記本発明の表示装置と同様の効果が得られる。
【発明の効果】
【００１６】
本発明の表示装置またはこれを備える熱電併給装置に拠れば、所望のデータを表示させる際に、ユーザーの視線の移動量が低減され、操作性が従来よりも向上する。また、ユーザーによる接触操作がなくても自動的に画面に熱電併給装置の運転に関するデータが表示されるので、ユーザーの熱電併給装置への関心の低下を抑制することができる。
【図面の簡単な説明】
【００１７】
【図１】本発明の実施の形態１における表示装置及びこれを備える熱電併給装置の概略構成図
【図２】（ａ）本発明の実施の形態１におけるタグを定義する構成データの一例を示す図（ｂ）タグの表示の一例を示す図
【図３】本発明の実施の形態１における表示装置の画面の一例を示す図
【図４】本発明の実施の形態１におけるユーザーの接触操作によるタグの表示フローを示す図
【図５】本発明の実施の形態１における表示装置のユーザーの接触操作に関わらないタグの表示フローを示す図
【図６】本発明の実施の形態１における表示装置のユーザーの接触操作に関わらないタグの表示フローにおける画面の一例を示す図
【図７】本発明の実施の形態１における表示装置のユーザーの接触操作に関わらないタグの表示フローにおける画面の一例を示す図
【図８】本発明の実施の形態１における表示装置のユーザーの接触操作に関わらないタグの表示フローにおける画面の一例を示す図
【図９】本発明の実施の形態１における表示装置の画面の他の例を示す図
【図１０】本発明の実施の形態１における表示装置のユーザーの接触操作に伴う画面表示の他の例を示す図
【図１１】従来の熱電併給装置の概略構成図
【図１２】従来の熱電併給装置に設けられた操作パネルの正面図
【発明を実施するための形態】
【００１８】
以下本発明の実施の形態について、図面を参照しながら説明する。
【００１９】
（実施の形態１）
図１は本発明の実施の形態１の表示装置１００及びこれを備える熱電併給装置２００の概略構成図である。
【００２０】
図１に示されるように本実施の形態の表示装置１００は、画面を有する表示器１０５と、表示器１０５上の画面への接触位置を検知する接触位置検知器１０６と、熱電併給装置の運転に関するデータを含むデータ構造体であるタグを生成するタグ生成器１０２と、タグ生成器１０２により生成されたタグを構成するデータに基づき表示器１０５の画面に表示するタグの画像を生成する画像生成器１０８と、ユーザーの画面への接触操作に関係なく、タグの表示位置を自動的に決定するタグ位置決定器１０１と、タグの表示位置の決定に際して重み付けを行う重み付け器１０７と、タグ位置決定器１０１により決定されたタグの表示位置と画面表示するデータとの対応関係、または接触位置検知器１０６により検知されたユーザー接触位置と画面表示するデータとの対応関係を記憶する記憶器１０３とを備える。なお、表示器１０６は、ＬＣＤ、ブラウン管などの表示デバイスが例示される。
【００２１】
また、本実施の形態の熱電併給装置２００は、上記表示装置１００と、熱電併給機２０１と、熱電併給機２０１から出力される電力を変換し、電力負荷に供給する電力変換器２０２と、熱電併給機２０１の排熱を回収する排熱回収器２０３と、熱電併給機２０１の運転に関するデータを取得するセンサ２０５とを備える。なお、上記熱電併給機２０１としては、例えば、燃料電池、ガスエンジン発電機等が例示され、センサとしては、熱電併給機２０１のガス消費量、発電量、または熱電併給機２０１からの排熱回収量等を検知するセンサが例示される。また、センサ２０５により取得された運転に関するデータは、運転履歴データとして記憶器１０３に記憶されている。
【００２２】
図２（ａ）はタグを定義するデータの構成例を示す図であり、図２（ｂ）は、タグの表示器１０５へ表示例を示す図である。図２（ａ）に示されるようにタグを定義する構成データとしては、例えば、運転データの種類（例えば、発電量、排熱回収量、ＣＯ２削減量等）、運転データの属性（例えば、運転データの表示期間等）、タグの表示位置（例えば、タグ表示の重心位置）、タグの表示サイズ、表示色（例えば、白黒、グレー、カラー等）、運転データ、運転データと共に表示されるグラフィックデータ等で構成されている。
【００２３】
次に、上記のように構成されるタグは、図２（ｂ）で示されるような、熱電併給装置の運転データに関する画像と、この運転データと共に表示される画像とを含む形で表示される。画像生成器１０８は、タグ生成器１０２より受け取った図２（ａ）に示されるようなタグを構成するグラフィックデータから運転データを表示するためのタグの外形の画像を生成し、そこに運転データに関する画像を貼り付けて、タグを表示するための画像を生成する。
【００２４】
なお、タグの表示位置の基準となる座標はその重心に限るものではなく、例えば、タグの表示領域が矩形である場合、表示領域の左上、左下などのコーナーの座標であっても構わない。
【００２５】
タグ生成器１０２は、タグ位置決定器１０１により決定されたタグ位置の座標データもしくは接触位置検知器１０６により検知されたユーザーの画面への接触位置に関する座標データに基づきタグを構成する未決定のヘッダデータを埋め、それらに基づいて記憶器１０３より対応する運転データを抽出して、タグを完成させる。完成されたタグは表示器１０５の画像生成器１０８に出力され、画像生成器１０８は、タグ生成器１０２により生成されたタグに対応する画像を生成して、画面を通じてユーザーに提示する。
【００２６】
また、表示器１０５はタッチパネルなどのデバイスに例示されるような接触位置検知器１０７を備え、ユーザーが表示器１０５上の画面の任意の位置にタッチした時、その接触位置の座標値を取得して、タグ生成器１０２に入力できる。
【００２７】
図３は、本実施の形態の表示装置１００における表示器１０５の一例を示す図である。図３に示すように、表示器１０５に設けられた画面は、縦、横の２軸で表示領域が４分割され、それぞれの領域が熱電併給装置の運転に関する各データに対応付けされ、この対応関係は記憶器１０３に記憶されている。なお、本例においては、上記４領域は、第１象限から第４象限まで、順に、熱電併給装置の発電量、排熱回収量、ＣＯ２削減量、及びガス消費量の各運転データが割り当てられている。ここで、ユーザーが、所定の運転データの表示を希望する場合は、所定の運転データが対応付けされた領域に接触操作することで、所定の運転データが表示器１０５に表示される。なお、上述の画面の表示領域の分割数及び各領域と対応付けされた運転データの種類は、あくまで一例であり、複数の領域に分割するのであれば、画面の表示領域の分割数及び分割された各領域と各運転データとの対応付けについては、いずれの形態であっても構わない。
【００２８】
また、上記画面は、画面中央の縦軸と横軸との交点を基準点として径方向に５つの領域に分割されており、各領域に対して運転データの表示期間が対応付けされており、この運転データの表示期間と接触位置との対応関係についても記憶器１０３に記憶されている。本例においては、上記５領域は、上記交点からの距離に応じて、表示期間が長くなるよう設定されている。具体的には、各領域は、上記交点からの距離の長さに応じて、瞬時値（現在値）、一日、１週間、１月、１年間の順に表示期間が長くなるよう設定されている。なお、本例においては、記憶器１０３に記憶された運転データの表示期間と接触位置との対応関係に基づき運転データの表示期間が決定されるよう構成されているが、接触位置検知器１０６で検知された接触位置と上記交点との距離ｄと運転データの表示期間との対応関係に基づき運転データの表示期間が決定される形態を採用しても構わない。なお、この場合、接触位置検知器１０６により接触位置の位置情報をタグ生成器１０２が取得すると、タグ生成器１０２は、この位置情報に基づき上記交点と接触位置との距離ｄを算出し、この算出された距離ｄと上記対応関係に基づき運転データの表示期間を決定する。なお、上述の画面の表示領域の系方向での分割数及び分割された各領域に対応付けされた運転データの属性は、あくまで一例であり、複数の領域に分割するのであれば、画面の表示領域の分割数及び分割された各領域と各運転データの表示期間との対応付けについては、いずれの形態であっても構わない。また、図３では、縦軸と横軸との交点を中心として径方向への領域分割に際して、同心円状に領域分割を行っているが、同心円状である必要はなく、矩形状でも、楕円状であっても構わない。また、図３ではユーザーに判りやすいように領域を分ける縦軸と横軸、並びに各領域に対応付けされる運転データの種類や属性（表示期間）を表示しているが、これらについて画面上に表示しない形態を採用しても構わない。また、図３においては画面中央を基準点としているが、あくまで一例であり、基準点は画面上のいずれの位置であっても構わない。
【００２９】
図４は、ユーザーによる接触操作によりユーザーの所望する運転データが表示されるまでのフローを説明するフローチャートである。
【００３０】
以下、ユーザーが希望するデータが含まれるタグを表示させるデータ提示のフロー（ＰＵＬＬ型）を説明する。図４に示されるように、ユーザーが、自身が希望する運転データの表示が対応付けされた画面上の所定の位置に接触操作すると、接触位置検知器１０６は、接触された位置の座標データを取得し、この座標データをタグ生成器１０２に送信する（ステップＳ４０１）。
【００３１】
本例においては、ユーザーが「今日の発電量」を表示することを希望しており、ユーザーは自分の指で図３の（Ａ）の位置に接触操作する。ここで、接触位置検知器１０６により取得された座標データは、タグ生成器１０２に送られ、その座標データから記憶器１０３に記憶された座標データと表示される運転データの種類との対応関係を示すテーブルを用いて、表示される運転データの種類（例えば、発電量、排熱回収量等）を決定する（ステップＳ４０２）。
【００３２】
さらに、記憶器１０３に記憶された上記座標データと表示される運転データの属性との対応関係から表示される運転データの属性を決定する。本例においては、この属性として表示される運転データの表示期間（例えば、現在、１日、１週間等）が決定される（ステップＳ４０３）。
【００３３】
そして、上記フローにより決定された運転データ及びその属性に基づき記憶器１０３に記憶された熱電併給装置の過去の運転に関する履歴データを検索して、対応する運転データ（本例では、当日の発電量データ）を取得し、タブの構成データを更新する。
【００３４】
そして、タブ生成器１０２により生成されたタブデータが画像生成器１０８に出力され、画像生成器１０８により上記属性の運転データを示す画像が表示器１０５の画面に表示される。
【００３５】
上述のように、ユーザーは、自身が希望する運転データの表示が対応付けされた画面上の位置に接触操作すると、接触位置に対応付けされた運転データが画面に表示されるため、熱電併給装置の運転データを表示させる際に、ユーザーは、表示器１０５の画面上から視線を外す必要がないため、従来の表示装置に比べて操作性が向上する。
【００３６】
次に、図５を用いて、ユーザーによる表示器１０５上の画面への接触操作がなくても、熱電併給装置の運転データを表示器１０５に表示するフロー（ＰＵＳＨ型）の一例について説明する。
【００３７】
まず、タグ位置決定器１０１はタグの表示位置を決定する（ステップＳ５０１）。本例においては、タグの重心座標が決定される。なお、タグの重心座標の決定に際して、重み付け器１０８によって、各座標の決定確率について重み付けを行っても構わない。これにより、画面上の特定の領域にタグの表示位置が決定される確率を小さくしたり、逆に大きくしたりすれば、前回に表示されたデータの重複表示を避けたり、逆に特定の運転データの表示頻度を向上することが可能となる。
【００３８】
次に、タグ生成器１０２は、ステップＳ５０１において決定されたタグの表示位置と、記憶器１０３に記憶されたタグの表示位置と画面表示される運転データの種類との対応関係を示すテーブルとに基づき画面表示する運転データの種類を決定する（ステップＳ５０２）。ここで、本例においては、図３に示されるように画面上において直交座標系が−Ｘ≦ｘ≦Ｘ、−Ｙ≦ｙ≦Ｙで設定されており、ステップＳ５０１において、タグの表示位置を示す重心座標が、―Ｘ≦ｘ≦０、０≦ｙ≦Ｙであるならば、ステップＳ５０２にてタグ生成器１０２により決定される、画面表示される運転データの種類はガス消費量となる。
【００３９】
続いて、タグ生成器１０２は、タグの表示位置と画面上の基準点との距離ｄを算出する（ステップＳ５０３）。そして、その算出された距離ｄに応じて、画面表示される運転データの属性を決定する（ステップＳ５０４）。本例においては、画面表示される運転データの属性として、運転データの表示期間が決定される。
【００４０】
表１はタグの表示位置と画面の基準点との距離ｄと画面表示される運転データの表示期間との対応関係を示すテーブルの一例である。表１に示されるように、本例においては、上記算出距離ｄが長いほど運転データの表示期間が長くなるように対応付けされている。なお、上記算出距離ｄが最も短い範囲内（０≦ｄ＜Ｌ）にある場合には、運転データの表示期間は、瞬時値となる。
【００４１】
【表１】
0005549173.tif 000002
【００４２】
次に、タグ生成器１０２は、記憶器１０３に記憶された運転履歴データより上記ステップＳ５０２において決定された画面表示される運転データの種類、ステップＳ５０４において決定された画面表示される運転データの属性を満たす運転データを取得する（ステップＳ５０５）。
【００４３】
最後に、タグ生成器１０２により完成されたタグの構成データが、表示器１０５に送信され、このタグの構成データに基づき表示器１０５は、タグを画面に表示する（ステップＳ５０６）。
【００４４】
なお、図５に示す本例のフローにおいては、タグの表示位置と画面上の基準点との距離と運転データの表示期間との対応関係に基づき運転データの表示期間を決定するよう構成されているが、図３の場合と同様にタグ位置決定器１０１により決定されたタグの表示位置と運転データの表示期間との対応関係に基づき運転データの表示期間を決定する形態を採用しても構わない。また、上述の図４に示されるユーザーの接触操作によるタグの画面表示は、図５に示されるタグ位置決定器１０１の動作によるタグの画面表示に優先されることが好ましい。
【００４５】
次に、図５に示されるフローが実行される際の、表示器１０５の画面表示の様子について図６〜８に基づいて説明する。
【００４６】
図６は運転データが何も表示されていない場合を示し、同心円の中心には現在の日時、時刻が表示されている。
【００４７】
図７はステップＳ５０１でタグの表示位置（本例では、タグの重心位置）が決定された際に、これが表示器１０５の画面上にタグの表示位置が点として表示されていることを示している。
【００４８】
そして、図８では、タグの表示位置が決定してからステップＳ５０２以降が実施され、最終的にステップＳ５０６が実施され、ステップＳ５０１で決定されたタグの表示位置に対応してタグ生成器１０２により決定されたタグが表示されている様子を示している。ここで、所定の時間（例えば、５秒）の間、タグを表示し続け、時間が経過した後は、タグの表示をフェードアウトさせるなどの処理を行う。なお、図８ではタグが突然に表示されたように描いているが、タグを縮小した点の状態から徐々に時間をかけて拡大するように表示しても構わないし、大きさは変わらないがその透過度を０％から１００％まで時間をかけて徐々に大きくするようにしても構わない。もちろん、両者を合せて、タグの表示を点の状態から大きくしながら、その透過度を上げるように表示制御しても構わない。
【００４９】
さらに、図５のフローチャートでは１つのタグを表示することに着目して、各ステップを説明したが、ステップＳ５０６が完了する前に別途ステップＳ５０１からフローを開始して、２つ以上のタグの表示フローを同時進行させたり、ステップＳ５０１において、タグ位置決定器がタグの表示位置として２つ以上の表示位置を同時に決定し、複数のタグを画面上に同時表示する形態を採用しても構わない。
【００５０】
以上のステップＳ５０１からステップＳ５０８を周期的に繰り返せば、熱電併給装置の運転データをランダムにかつ能動的に表示することが出来る。したがって、ユーザーが意図してデータを表示させるまでもなく、熱電併給装置の運転データを表示できるので、ユーザーの熱電併給装置への関心を刺激することが出来る。ユーザーにとっては壁に掛けられた時計と同様に、表示器１０６を眺めていれば、刻々と変わる熱電併給装置の運転データを知ることが出来る。
【００５１】
また、ユーザーが画面に接触操作して能動的に運転データを表示させる場合であっても、画面への接触により画面表示される運転データの種類だけでなく、その属性についても同時に決定することが可能になるので、図１３に示される従来の表示装置のように運転データの属性（例えば、運転データの積算時間）について、画面表示する運転データの種類を決定するボタン操作と別のボタン操作を必要とすることなく、従来よりも少ない操作で所望のデータの表示が可能となる。また、操作が直感的であるので、従来の表示装置よりも、短い時間で所望のデータの画面表示させるための操作が可能になることが見込まれる。
【００５２】
なお、上述の表示装置１００においては、図３では縦−横の直交座標で画面中央を基準点として周方向に分割した各領域を、運転データの種類に対応付けし、画面中央を基準点として径方向に分割した各領域を運転データの属性に対応付けしたが、本例はあくまで一例であり、これに限定されるものではない。
【００５３】
ここで、上述の図３に示すように分割された画面領域と運転データまたはその属性との対応付けとは異なる形態について説明する。図９は、その一例を示す図である。
【００５４】
本例においては、図９に示されるように、表示器１０５の画面は、図３の場合と同じく直交座標を用いているが、横軸方向に分割した各領域内の位置情報（座標）が運転データの種類と対応付けされ、縦軸方向に分割した各領域内の位置情報（座標）が運転データの属性（本例では、運転データの表示期間）と対応付けされている。本例において、ユーザーが当日の発電量データを表示したいと考えた場合、図９に示される（Ａ）の位置を接触操作することで当日の発電量データが表示される。なお、本例においては、画面上の位置情報と運転データの属性（表示期間）との対応関係に基づき運転データの属性（表示期間）がタグ生成器１０２により決定されるよう構成されているが、画面左上隅の基準点と接触位置検知器１０６により検知された接触位置または画面左上隅の基準点とタグ位置決定器により決定されたタグ位置との対応関係に基づき運転データの属性（表示期間）を決定する形態を採用しても構わない。また、図９においては画面左上隅を基準点としているが、あくまで一例であり、基準点は画面上のいずれの位置であっても構わない。
【００５５】
なお、上述の図３では、「画面上の第１の方向」として画面中央を基準点とする周方向、「画面上の第２の方向」として画面中央を基準点とする径方向となる場合、上述の図９では、「画面上の第１の方向」として横軸方向、「画面上の第２の方向」として縦軸方向となる場合、をそれぞれ示したがあくまで例示であり、上記「画面上の第１の方向」と「画面上の第２の方向」は画面上において互いに異なる方向であれば、いずれの方向であっても構わない。
【００５６】
また、図１０は、図９に示される例とは画面の接触操作性が異なる例を説明する図である。本例においては、縦軸における運転データの属性（表示期間）の表示がなく、ユーザーが画面へ接触した後、指を移動させながらユーザーの所望する運転データの属性（表示期間）が選択されたところで、指を画面から離すことにより運転データの種類及びこの運転データの属性（表示期間）が決定されるよう構成されている。
【００５７】
なお、本例においえては、ユーザーの画面上の指の接触により選択されている表示期間を画面上に表示されるよう構成されており、その表示形式としては、例えば、ダイアログ表示が挙げられる。また、本例においては、画面上を移動するユーザーの指の接触位置に応じて運転データの属性を選択する形態を採用したが、ユーザーの指が画面に接触してからの指の移動方向及び移動距離に応じて接触開始時に選択された運転データの属性から新たな運転データの属性に更新する形態を採用しても構わない。
【００５８】
かかる構成によれば、ユーザーが最初の接触操作により所望のデータ（運転データまたは運転データの属性）と対応付けされていない領域に接触しても、画面上の指を移動させることで所望のデータが選択されるので、ユーザーが希望しない属性の運転データが画面に表示されたりすることが低減され、操作性が向上する。
【産業上の利用可能性】
【００５９】
本発明にかかる表示装置は、所望のデータを表示させる際に、ユーザーの視線の移動量が低減され、操作性が従来よりも向上する。また、ユーザーによる接触操作がなくても自動的に画面に熱電併給装置の運転に関するデータが表示されるので、ユーザーの熱電併給装置への関心の低下を抑制することができるので、家庭用の熱電併給装置等として有用である。
【符号の説明】
【００６０】
１００    表示装置
１０１    タグ位置決定器
１０２    タグ生成器
１０３    記憶器
１０５    表示器
１０６    接触位置検知器
１０７    重み付け器
１０８    画像生成器
２００    熱電併給装置
２０１    熱電併給機
２０２    電力変換器
２０３    排熱回収器
２０５    センサ
１００１    商用電力
１００２    電力計
１００３    ガス流量計
１００４    燃料電池
１００５    電力計
１００６    貯湯槽
１００７    入水温度計
１００８    出水温度計
１００９    流量計
１０１０    電力負荷
１０１１    熱付加
１０１２    操作パネル
１０１３    積算装置
１０１４    演算装置
１０１５    入力装置
１０１６    表示装置
【図１】
0005549173.tif 000003
【図２】
0005549173.tif 000004
【図３】
0005549173.tif 000005
【図４】
0005549173.tif 000006
【図５】
0005549173.tif 000007
【図６】
0005549173.tif 000008
【図７】
0005549173.tif 000009
【図８】
0005549173.tif 000010
【図９】
0005549173.tif 000011
【図１０】
0005549173.tif 000012
【図１１】
0005549173.tif 000013
【図１２】
0005549173.tif 000014